(57)【特許請求の範囲】
【請求項１】
給気通路と連通したバーナと、
前記給気通路を介して前記バーナに燃焼用空気を供給するファンと、
前記給気通路の給気口に着脱自在に装着され、清掃時に該給気口から取り外されるフィルタと、
前記給気口に前記フィルタが装着されているか否かを検出するフィルタ検出部と、
前記ファンの回転速度と前記ファンの通電量との関係に基づいて、前記フィルタの目詰まり度合に応じて前記ファンの回転速度を補正するための補正値であるファン補正値を算出する補正値算出部と、
前記ファン補正値を保持する記憶部と、
前記バーナの燃焼停止中に、前記フィルタ検出部により前記フィルタの脱着の有無を検知するフィルタ脱着検知部と、
前記バーナの目標燃焼量に応じた目標回転速度を、前記記憶部に保持されたファン補正値により補正した補正回転速度で前記ファンを作動させて、前記バーナの燃焼運転を実行し、該燃焼運転の実行時に前記補正値算出部によりファン補正値を算出して、前記記憶部に保持されたファン補正値を該算出したファン補正値に応じて更新する燃焼制御部と、
前記燃焼制御部により前記燃焼運転が開始されるときに、前記バーナの点火前に、前記フィルタ脱着検知部により前記フィルタの脱着が検知されたという条件を含む判定条件が成立しているか否かを判断し、該判定条件が成立しているときは、前記ファンを作動させて前記補正値算出部により現時点のファン補正値を算出し、該算出したファン補正値が第１所定レベル以下であることを条件として、前記記憶部に保持されたファン補正値を前記フィルタの目詰まり度合が前記第１所定レベル以下であるときに対応したファン補正値に更新し、また、前記判定条件が成立していないときには、前記記憶部に保持された前記ファン補正値を維持するフィルタ清掃対処部と
を備えたことを特徴とする燃焼装置。
【請求項２】
請求項１に記載の燃焼装置において、
前記判定条件として、前記記憶部に保持されたファン補正値が、前記フィルタの目詰まりが前記第１所定レベルよりも高い第２所定レベル以上であることを示し、且つ、前記フィルタ脱着検知部により前記フィルタの脱着が検知された、という条件が設定されていることを特徴とする燃焼装置。
【発明の詳細な説明】
【技術分野】
【０００１】
本発明は、ファンによりバーナに燃焼用空気を供給する燃焼装置に関する。
【背景技術】
【０００２】
従来より、ガス給湯器、ガス温風暖房機等のファンによってバーナに燃焼用空気が供給される燃焼装置においては、空気中の塵埃がバーナに流れ込むことを防止するために、給気口にフィルタが装着されている（例えば、特許文献１参照）。
【０００３】
ここで、バーナ燃焼時のファンの回転速度は、バーナの燃焼に必要な燃焼用空気の供給量に基づいて設定されるが、フィルタの目詰まりが進行するに従って、ファンを所定回転速度で作動させたときの燃焼用空気の供給量が次第に減少する。そして、この場合に、フィルタの目詰まりが生じていない状態を想定して設定された回転速度でファンを作動させると、燃焼用空気の供給量が不足してしまう。そこで、フィルタの目詰まり度合を検出し、目詰まり度合に応じてファンの回転速度を上げる補正を行うようにした燃焼装置が提案されている（例えば、特許文献２参照）。
【０００４】
また、フィルタの目詰まり度合に応じたファンの補正値は記憶手段に記憶され、バーナの燃焼開始時には、記憶手段に記憶された補正値を用いてファンの回転速度が設定されるが、バーナの燃焼停止中に給気フィルタが清掃されて目詰まりが解消していた場合に、記憶手段に記憶された補正値（フィルタの目詰まりが生じていたときの補正値）を用いてファンの回転速度を設定すると、燃焼用空気の供給が過剰になってバーナの燃焼不良が生じるおそれがある。
【０００５】
そこで、特許文献２に記載された燃焼装置においては、バーナの点火を行う前に、記憶手段に記憶された補正値が清掃基準値（フィルタの清掃が必要なレベルを示す基準値）よりも大きいか否かを判断し、記憶手段に記憶された補正値が清掃基準値よりも大きかったときには、バーナの燃焼停止中に給気フィルタの清掃が行われた可能性が高いと判断して、ファンの補正値を再設定するようにている。
【先行技術文献】
【特許文献】
【０００６】
【特許文献１】特開平１１−１８２８３７号公報
【特許文献２】特開平９−９６４１６号公報
【発明の概要】
【発明が解決しようとする課題】
【０００７】
上記特許文献２に記載された燃焼装置においては、バーナに点火する前に、記憶手段に記憶された補正値が清掃基準値よりも大きいことが認識されたときに、ファンを初期回転速度で所定時間（７秒）作動させて、ファンの回転速度が安定した状態とした後に、ファンの通電量に基づいて、フィルタの目詰まりの影響を解消するための補正値（ファン補正値）を更新している。そのため、バーナに点火されるまでの待ち時間が長くなり、燃焼運転の開始が遅れるという不都合がある。
【０００８】
本発明はかかる背景に鑑みてなされたものであり、給気口のフィルタ交換に伴うファンの補正値の更新のために、燃焼運転の開始が遅れることを防止した燃焼装置を提供することを目的とする。
【課題を解決するための手段】
【０００９】
本発明は上記目的を達成するためになされたものであり、本発明の燃焼装置は、
給気通路と連通したバーナと、
前記給気通路を介して前記バーナに燃焼用空気を供給するファンと、
前記給気通路の給気口に着脱自在に装着され、清掃時に該給気口から取り外されるフィルタと、
前記給気口に前記フィルタが装着されているか否かを検出するフィルタ検出部と、
前記ファンの回転速度と前記ファンの通電量との関係に基づいて、前記フィルタの目詰まり度合に応じて前記ファンの回転速度を補正するための補正値であるファン補正値を算出する補正値算出部と、
前記ファン補正値を保持する記憶部と、
前記バーナの燃焼停止中に、前記フィルタ検出部により前記フィルタの脱着の有無を検知するフィルタ脱着検知部と、
前記バーナの目標燃焼量に応じた目標回転速度を、前記記憶部に保持されたファン補正値により補正した補正回転速度で前記ファンを作動させて、前記バーナの燃焼運転を実行し、該燃焼運転の実行時に前記補正値算出部によりファン補正値を算出して、前記記憶部に保持されたファン補正値を該算出したファン補正値に応じて更新する燃焼制御部と、
前記燃焼制御部により前記燃焼運転が開始されるときに、前記バーナの点火前に、前記フィルタ脱着検知部により前記フィルタの脱着が検知されたという条件を含む判定条件が成立しているか否かを判断し、該判定条件が成立しているときは、前記ファンを作動させて前記補正値算出部により現時点のファン補正値を算出し、該算出したファン補正値が第１所定レベル以下であることを条件として、前記記憶部に保持されたファン補正値を前記フィルタの目詰まり度合が前記第１所定レベル以下であるときに対応したファン補正値に更新し、また、前記判定条件が成立していないときには、前記記憶部に保持された前記ファン補正値を維持するフィルタ清掃対処部とを備えたことを特徴とする。
【００１０】
かかる本発明によれば、前記フィルタは清掃時に前記給気口から取り外され、前記フィルタが取り外されたことが前記フィルタ脱着検知部により検知される。そして、前記フィルタが清掃されたときは、前記記憶部に保持された前記ファン補正値を前記フィルタの目詰まりが生じていない状態に応じた値に更新する必要がある。
【００１１】
そこで、前記フィルタ清掃対処部は、前記運転開始指示部により前記バーナの燃焼運転の開始が指示されたときに、前記バーナの点火前に、前記フィルタ脱着検知部によりフィルタの脱着が検知された、という判定条件が成立しているか否かを判断する。
【００１２】
この判定条件が成立しているときは、以前の燃焼運転時にフィルタの目詰まりが進行していて、燃焼運転の停止中に、前記フィルタが取り外されて清掃された可能性が高いと判断できる。そこで、前記フィルタ清掃対処部は、前記判定条件が成立しているときは、現時点のファン補正値を算出し、現時点のファン補正値がファンの目詰まり度合が第１所定レベル以下であることを示すものであることを条件として、前記記憶部に保持されたファン補正値をフィルタの目詰まり度合が前記第１所定レベル以下であるときに対応したファン補正値に更新する。
【００１３】
また、前記判定条件が成立していないときには、前記フィルタが清掃されていないと判断できるため、前記フィルタ清掃対処部は、前記記憶部に保持された前記ファン補正値を維持する。
【００１４】
このように、本発明によれば、前記判定条件が成立していないときは、前記フィルタの清掃が行われていないと判断して、前記フィルタ補正値の更新処理を行うことなく速やかに前記バーナの点火を行って燃焼運転を開始することができる。また、前記判定条件が成立しているときに行われる現時点での前記フィルタ補正値の算出は、フィルタの目詰まりが解消していることを確認するためのものであるため、上記特許文献２に記載された構成のように、ファン補正値を更新するためにファンの回転速度の安定時間を長く設定する必要がない。そのため、前記フィルタ補正値の更新処理を速やかに行って、前記バーナに点火して燃焼運転を開始することができる。
【００１５】
また、前記判定条件として、前記記憶部に保持されたファン補正値が、前記フィルタの目詰まりが前記第１所定レベルよりも高い第２所定レベル以上であることを示し、且つ、前記フィルタ脱着検知部により前記フィルタの脱着が検知された、という条件が設定されていることを特徴とする。
【００１６】
この構成によれば、前記判定条件に、前記記憶部に保持されたファン補正値が前記フィルタの目詰まりが前記第２所定レベル以上であることを示している、という条件を加えることによって、前記フィルタが清掃以外の目的で取り外された場合には、ファン補正値の更新が行われないようして、速やかに前記バーナに点火して燃焼運転を開始することができる。
【図面の簡単な説明】
【００１７】
【図１】本発明の燃焼装置である給湯器のフィルタの取り付け態様の説明図。
【図２】図１に示した給湯器の制御系の説明図。
【図３】ファンの回転速度とモータの通電量との関係を示すグラフ。
【図４】フィルタの目詰まり度合とファン補正値との関係を示すグラフ。
【図５】給湯運転開始時のコントローラのフローチャート。
【図６】給湯運転中のファン補正値の変更処理のフローチャート。
【図７】給湯運転停止中のフィルタの取り外しを検知する処理のフローチャート。
【発明を実施するための形態】
【００１８】
本発明の実施形態について、図１〜図７を参照して説明する。
【００１９】
図１を参照して、本実施形態の給湯器１（本発明の燃焼装置に相当する）は、筐体１０内に、図２を参照して後述するバーナ５０、バーナ５０の上方に配置された熱交換器４１、給湯器１の作動を制御するコントローラ３０等を収容している。給湯器１は、上水道から通水路を介して熱交換器４１に供給される水を加熱して出湯する。
【００２０】
筐体１０の前面の開口には、前面パネル１１が取り付けられており、前面パネル１１の下部左側には操作パネル１６が取り付けられている。前面パネル１１の下部右側には、バーナ５０に連通した給気通路（図示しない）の給気口１２が設けられており、給気口１２には、フィルタ２０が着脱自在に装着されている。フィルタ２０は、清掃時に脱着される。
【００２１】
フィルタ２０は、枠状部材２１に網目状のフィルタ素材２２を取り付けて形成されており、枠状部材２１の後面には突起部２３が形成されている。筐体１０内には、フィルタ２０が給気口１２に装着されていることを検出するフィルタスイッチ１５（本発明のフィルタ検出部に相当する）が設けられている。
【００２２】
フィルタ２０が給気口１２に装着されると、フィルタ２０の突起部２３が、貫通孔１４を挿通してフィルタスイッチ１５のレバー部１５ａを押圧する。この押圧によりフィルタスイッチ１５の接点（図示しない）がＯＮ（導通状態）するため、この接点のＯＮ／ＯＦＦ（遮断状態）を認識することによって、給気口１２にフィルタ２０が装着されているか否かを検出することができる。
【００２３】
次に、図２を参照して、給湯器１は、上流側が上水道（図示しない）に接続されると共に下流側にカラン４５が接続された通水路４０、通水路４０の途中に設けられた熱交換器４１、通水路４０を流れる水の流量を検出する流量センサ４２、通水路４０から出湯される湯の温度を検出する給湯温度センサ４３、及び熱交換器４１の下方に設けられて通水路４０を流通する水を加熱するバーナ５０を備えている。
【００２４】
バーナ５０に接続されてバーナ５０に燃料ガスを供給するガス供給路５１には、ガス供給路５１を開閉するガス元弁５３とガス供給路５１の開度を変更するガス比例弁５２が設けられている。また、バーナ５０の近傍には、バーナ５０の燃焼炎を検出するフレームロッド５５と、バーナ５０に点火するための点火プラグ５４が設けられている。
【００２５】
さらに、給湯器１は、バーナ５０に燃焼用空気を供給するためのファン６０と、コントローラ３０とを備えている。ファン６０は、回転羽根６２をモータ６１によって回転駆動するものであり、モータ６１の回転速度を検出する速度センサ６３と、モータ６１に流れる電流量（通電量）を検出する電流センサ６４が備えられている。
【００２６】
コントローラ３０は、ＣＰＵ、メモリ３６（本発明の記憶部に相当する）、インターフェース回路等により構成された電子回路ユニットであり、メモリ３６に保持された給湯器１の制御用プログラムをＣＰＵで実行することによって、補正値算出部３１、フィルタ脱着検知部３２、燃焼制御部３３、及びフィルタ清掃対処部３４として機能する。
【００２７】
コントローラ３０には、フィルタスイッチ１５、流量センサ４２、給湯温度センサ４３、フレームロッド５５、速度センサ６３、及び電流センサ６４による検出信号が入力される。また、コントローラ３０から出力される制御信号によって、ガス比例弁５２、ガス元弁５３、点火プラグ５４、及びファン６０の作動が制御される。
【００２８】
コントローラ３０は操作パネル１６と接続され、操作パネル１６に設けられたスイッチ類の操作状況の検出信号がコントローラ３０に入力される。また、コントローラ３０から操作パネル１６に出力される制御信号によって、操作パネル１６に設けられた表示部７１の表示状態等が制御される。
【００２９】
コントローラ３０は、操作パネル１６に設けられた運転スイッチ７２の操作に応じて、運転状態と待機状態とに切替わる。運転状態においては、カラン４５が開栓されて上水道から通水路４０に給水されているときに、バーナ５０を燃焼させてカラン４５に給湯する給湯運転が実行される。待機状態においては、カラン４５が開栓されても給湯運転は実行されない。
【００３０】
燃焼制御部３３は、運転状態において、流量センサ４２による検出流量が、最低流量よりも少ない状態から最低流量以上の状態に移行したときに、給湯運転（本発明の燃焼運転に相当する）を開始する。
【００３１】
燃焼制御部３３は、給湯温度センサ４３の検出温度が、操作パネル１６の温度スイッチ７３により設定された目標給湯温度となるようにバーナの目標燃焼量を決定する。そして、燃焼制御部３３は、目標燃焼量に応じたガス比例弁５２の目標開度及びファン６０の目標回転速度を決定し、ガス比例弁５２の開度を目標開度に制御すると共に、ファン６０の回転速度を目標回転速度に制御する。
【００３２】
ここで、上記目標回転速度は、フィルタ２０の目詰まりが生じていない条件下で設定されたものである。そのため、フィルタ２０の目詰まりが進行すると、目標回転速度でファン６０を回転駆動したときに、バーナ５０への燃焼用空気の供給が不足する状態となる。
【００３３】
そこで、補正値算出部３１は、フィルタ２０の目詰まり度合に応じて、ファン６０の目標回転速度を補正するための補正値である、ファン補正値Ｉdを算出する。補正値算出部３１は、ファン６０のモータ６１の回転速度Ｎx（速度センサ６３により検出される）と、モータ６１の通電量Ｉx（電流センサ６４により検出される）との関係に基づいて、フィルタ２０の目詰まり度合を検出する。
【００３４】
ここで、図３は、モータ６１の回転速度Ｎxと通電量Ｉxとの関係を、縦軸を通電電流Ｉxとし、横軸を回転速度Ｎxとして表したものである。補正値算出部３１は、フィルタ２０の目詰まりが生じていない場合の回転速度Ｎxと通電量Ｉxとの関係を示す標準ラインＬ１と、補助ラインＬ２を利用して、各ラインにおける回転速度Ｎxでの通電量Ｉa，Ｉbを求める。
【００３５】
そして、補正値算出部３１は、Ｉa，Ｉbと電流センサ６４により検出されている通電量Ｉxとを、以下の式（１）に代入して、ファン補正値Ｉdを算出する。
【００３６】
【数１】
0005951665.tif 000002
【００３７】
但し、α：実験的に求めた１以下の定数。
【００３８】
なお、図３のグラフで示したファン６０の回転速度Ｎxと通電量Ｉxの関係は、テーブル又は関係式の形式により、予めメモリ３６に保持されている。
【００３９】
ファン補正値Ｉdは、フィルタ２０の目詰まり度合の傾向を示すものであり、ファン補正値Ｉdとフィルタ２０の目詰まり度合との関係は、図４に示したようになる。図４は、縦軸をファン補正値Ｉdとし、横軸をフィルタ２０の目詰まり度合として、ファン補正値Ｉdと目詰まり度合との関係を示したものであり、例えば、Ｉdが１．２であれば、フィルタ２０の目詰まり度合が８０％であると判断される。
【００４０】
燃焼制御部３３は、給湯運転の実行中に、補正値算出部３１によりファン補正値Ｉdを算出し、算出したファン補正値Ｉdに応じてメモリ３６に保持されたファン補正値Ｉdを更新する。以下では、メモリ３６に保持されているファン補正値Ｉdを保持補正値ＩdHといい、補正値算出部３１により算出された現在のファン補正値Ｉdを必要補正値ＩdNという。燃焼制御部３３は、燃焼運転実行時に、目標回転速度にメモリ３６に保持された保持補正値ＩdHを乗じることによって、フィルタ２０の目詰まりによる燃焼用空気の供給量の不足を補う補正回転速度を求め、補正回転速度でファン６０を作動させる。
【００４１】
次に、図５〜図７に示したフローチャートに従い、主としてフィルタ２０の清掃が行われて、フィルタ２０の目詰まりが解消された場合に対処するための処理について説明する。コントローラ３０は、運転状態であるときに、図５〜図７のフローチャートによる処理を実行する。
【００４２】
コントローラ３０は、ＳＴＥＰ１で流量センサ４２の検出流量が最低流量以上になったときに、ＳＴＥＰ１０による給湯運転が開始されてバーナ５０に点火される前に、ＳＴＥＰ２〜ＳＴＥＰ９，ＳＴＥＰ３０，ＳＴＥＰ４０〜４２，ＳＴＥＰ４５の処理を、フィルタ清掃対処部３４により実行する。
【００４３】
フィルタ清掃対処部３４は、ＳＴＥＰ２でファン６０を目詰まり検知回転速度で作動させ、続くＳＴＥＰ３で、フィルタスイッチ１５がＯＮであるか否かを判断する。フィルタスイッチ１５がＯＮしているとき（フィルタ２０が装着されている状態）はＳＴＥＰ４に進む。
【００４４】
一方、フィルタスイッチ１５がＯＦＦしているとき（フィルタ２０が装着されていない状態）はＳＴＥＰ３０に進んでフィルタ外れによる異常停止をする。この場合は、コントローラ３０は、操作パネル１６の表示部７１に異常表示を行う。
【００４５】
ＳＴＥＰ４で、フィルタ清掃対処部３４は、メモリ３６に保持された保持補正値ＩdH（以前の給湯運転実行時に更新された保持補正値ＩdH）が１．３以上であるか否かを判断する。ここで、１．３はフィルタ２０の目詰まりが進行して、目詰まり度合がフィルタ２０の清掃が必要なレベル（本発明の第２所定レベルに相当する）であることを判断するための閾値である。
【００４６】
保持補正値ＩdHが１．３よりも小さいときは、フィルタ２０が清掃された可能性が低いのでＳＴＥＰ１０に進み、燃焼制御部３３によりバーナ５０の点火処理が実行されて給湯運転が開始される。この場合は、メモリ３６に保持された保持補正値ＩdHは更新されないずに維持される。
【００４７】
一方、保持補正値ＩdHが１．３以上であるときには、フィルタ２０が清掃された可能性があるので、ＳＴＥＰ５に進み、フィルタ清掃対処部３４は、フィルタ脱フラグ（図５，図７では「フィルタ脱Ｆ」と記載）が１（セット）であるか否かを判断する。
【００４８】
ここで、フィルタ２０を清掃するときには、フィルタ２０を給気口１２から取り外す必要があるため、使用者やメンテナンス作業者がフィルタ２０の清掃を行ったときには、フィルタスイッチ１５が必ずＯＦＦ状態となる。
【００４９】
そこで、フィルタ脱着検知部３２は、給湯運転が停止したら（バーナ５０の燃焼が停止したら）、図７に示したフローチャートによる処理を実行して、フィルタ２０の取り外しを監視する。フィルタ脱着検知部３２は、図７のＳＴＥＰ７０で給湯運転停止中であるか否かを判断し、給湯運転停止中であるときはＳＴＥＰ７１に進んで、フィルタスイッチ１５がＯＦＦしているか否かを判断する。
【００５０】
そして、フィルタスイッチがＯＦＦしているとき（フィルタ２０が給気口１２から取り外されているとき）はＳＴＥＰ７２に進み、フィルタ脱着検知部３２は、フィルタ脱フラグを１（セット）にしてＳＴＥＰ７３に進み、処理を終了する。フィルタ脱着検知部３２の処理により、給湯運転停止中に、フィルタ２０が取り外されたときには、フィルタ脱フラグが１になる。
【００５１】
図５のフローチャートに戻り、フィルタ清掃対処部３４は、ＳＴＥＰ５でフィルタ脱フラグが１であるとき（フィルタ２０が取り外されたことが検出されていたとき）はＳＴＥＰ６に進む。
【００５２】
そして、フィルタ清掃対処部３４は、ＳＴＥＰ６で２秒間の安定時間の経過によりモータ６１の回転速度がある程度安定した状態で、続くＳＴＥＰ７により、速度センサ６３により検出されるモータ６１の回転速度Ｎxと、電流センサ６４により検出されるモータ６１の通電量Ｉxを、上述したように図４のグラフに適用して上記式（１）により必要補正値ＩdNを算出する。
【００５３】
次にＳＴＥＰ８で、フィルタ清掃対処部３４は、必要補正値ＩdNが１．１以下であるか否かを判断する。ここで、１．１は、フィルタ２０の目詰まりが解消したことを判断するためのものであり、目詰まり度合が清掃された状態に対応したレベル（本発明の第１所定レべルに相当する）を示すものである。
【００５４】
ＳＴＥＰ８で、必要補正値ＩdNが１．１以下であるときは、フィルタ２０が清掃されたと判断することができるのでＳＴＥＰ９に進み、フィルタ清掃対処部３４は、メモリ３６に保持する保持補正値ＩdHを１．０（フィルタ２０の目詰まりが生じていない状態に対応した初期値）に更新する。
【００５５】
そして、ＳＴＥＰ９に進んで燃焼制御部３３により給湯運転が開始され、ＳＴＥＰ１１で、フィルタ脱フラグが０（リセット）にされて図６のＳＴＥＰ１２に進む。一方、ＳＴＥＰ８で、必要補正値ＩdNが１．１よりも大きいときにはＳＴＥＰ４２に分岐する。
【００５６】
なお、フィルタ清掃対処部３４により、メモリ３６に保持する保持補正値ＩdHを、必要補正値ＩdNに更新するようにしてもよい。
【００５７】
一方、ＳＴＥＰ５でフィルタ脱フラグが１でなかったときには、フィルタ２０の取り外しがなかったことから、フィルタ２０が清掃されていないと判断することができる。そのため、この場合はＳＴＥＰ４０に分岐し、フィルタ清掃対処部３４は、２秒の安定時間の経過を待って必要補正値ＩdNを算出する。
【００５８】
そして、必要補正値ＩdNが１．６以下であるか否かを判断する。ここで、１．６はフィルタ２０の目詰まりが、保持補正値ＩdHによる目標回転速度の補正を行っても、バーナ５０を正常に燃焼させることが困難な程度にまで進行したレベルを判断するための閾値である。
【００５９】
そのため、必要補正値ＩdNが１．６よりも大きいときはＳＴＥＰ４５に分岐し、フィルタ清掃対処部３４は、閉塞エラー停止となったことを操作パネル１６の表示部に表示して、給湯運転を停止する。一方、必要補正値ＩdNが１．６以下であるときにはＳＴＥＰ１０に進み、燃焼制御部３３により給湯運転が開始される。
【００６０】
図５に示したフローチャートによれば、フィルタ２０の清掃が行われたか否かを、(1)前回の給湯運転時に更新された保持補正値ＩdHが１．３以上であり（フィルタ２０の目詰まりが清掃が必要な程度まで進行している）、且つ(2)フィルタ脱フラグが１（給湯運転の停止中にフィルタ２０が取り外された）という判定条件によって、速やかに判断している。
【００６１】
そして、上記判定条件による判定を行っているため、判定後のＳＴＥＰ８及びＳＴＥＰ４２における必要補正値ＩdNによる実際の目詰まり度合の確認には、さほど精度が要求されない。そのため、ＳＴＥＰ６及びＳＴＥＰ４０の安定時間は短時間で済み、ＳＴＥＰ１で給湯運転の開始条件が成立してから、ＳＴＥＰ１０で給湯運転が開始されるまでの待ち時間を短縮することができる。
【００６２】
図６のフローチャートは、給湯運転実行中の保持補正値ＩdHの更新処理である。コントローラ３０は、給湯運転の実行中に、ＳＴＥＰ１２〜ＳＴＥＰ１７の処理を繰り返し実行する。
【００６３】
ＳＴＥＰ１２で、コントローラ３０は補正値算出部３１により必要補正値ＩdNを算出する。続くＳＴＥＰ１３で、コントローラ３０は、必要補正値ＩdNがメモリ３６に保持された保持補正値ＩdHよりも大きいか否かを判断する。
【００６４】
必要補正値ＩdNが保持補正値ＩdHよりも大きいときはＳＴＥＰ５０に分岐し、コントローラ３０は保持補正値ＩdHを０．０１増やして更新し、ＳＴＥＰ１６に進む。一方、必要補正値ＩdNが保持補正値ＩdH以下であるときにはＳＴＥＰ１４に進み、コントローラ３０は、必要補正値ＩdNが保持補正値ＩdHと等しいか否かを判断する。
【００６５】
必要補正値ＩdNが保持補正値ＩdHと等しいときはＳＴＥＰ１７に分岐し、この場合は保持補正値ＩdHは更新されない。一方、必要補正値ＩdNが保持補正値ＩdHと等しくないとき（この場合は、必要補正値ＩdNが保持補正値ＩdHよりも小さくなっている）は、ＳＴＥＰ１５に進み、コントローラ３０は、保持補正値ＩdHを０．０１減らして更新し、ＳＴＥＰ１６に進む。
【００６６】
ＳＴＥＰ１６で、コントローラ３０は、保持補正値ＩdHが１．６以下であるか否かを判断する。１．６は、上述したように、フィルタ２０の目詰まりが、保持補正値ＩdHによる目標回転速度の補正を行っても、バーナ５０を正常に燃焼させることが困難な程度にまで進行したレベルを判断するための閾値である。
【００６７】
そのため、保持補正値ＩdHが１．６よりも大きいときはＳＴＥＰ６０に分岐し、コントローラ３０は、閉塞エラー停止となったことを操作パネル１６の表示部７１に表示して、給湯運転を停止する。一方、必要補正値ＩdNが１．６以下であるときにはＳＴＥＰ１７に進み、コントローラ３０は、流量センサ４２の検出流量が最低流量以上であるか否かを判断する。
【００６８】
流量センサ４２の検出流量が最低流量以上であるときは、給湯運転が継続されているため、ＳＴＥＰ１２に戻ってコントローラ３０はＳＴＥＰ１２以下の処理を再び実行する。一方、流量センサ４２の検出流量が最低流量よりも少ないときにはＳＴＥＰ１８に進み、コントローラ３０は、給湯運転を終了する。
【００６９】
なお、本実施形態では、本発明の燃焼装置として給湯器１を示したが、温風暖房機等、ファンにより、フィルタが装着された給気口から取り込んだ燃焼用空気をバーナに供給する燃焼装置であって、フィルタの清掃を、フィルタを給気口から取り外して行う構成を有する燃焼装置であれば、本発明の適用が可能である。
【符号の説明】
【００７０】
１…給湯器（燃焼装置）、１０…筐体、１２…給気口、１５…フィルタスイッチ（フィルタ検出部）、１６…操作パネル、２０…フィルタ、３０…コントローラ、３１…補正値算出部、３２…フィルタ脱着検知部、３３…燃焼制御部、３４…フィルタ清掃対処部、３６…メモリ（記憶部）、５０…バーナ、６０…ファン。
【図１】
0005951665.tif 000003
【図２】
0005951665.tif 000004
【図４】
0005951665.tif 000005
【図５】
0005951665.tif 000006
【図６】
0005951665.tif 000007
【図７】
0005951665.tif 000008
【図３】
0005951665.tif 000009